(57)【特許請求の範囲】
【請求項１】
測定装置に上位コンピュータを接続して構成されるデータ収集監視システムにおいて、
前記測定装置は、測定装置自身の負荷状況を前記上位コンピュータに伝達する手段を備え、
前記上位コンピュータは、前記測定装置から読み込んだ負荷状況から、前記測定装置に送信するデータ送信量を調整し、上位コンピュータから行う測定装置に対する設定変更をデータ収集監視動作実施中にデータ収集監視動作に影響を与えずに実施できるように構成されたことを特徴とするデータ収集監視システム。
【請求項２】
前記データ収集監視システムに用いる上位コンピュータは、前記測定装置に設定する設定情報を予め登録し保存する手段と、前記設定情報の設定動作を開始する条件を予め登録し保存する手段と、前記測定装置の動作状況を把握する手段を備えた制御プログラムを搭載することを特徴とする請求項１に記載のデータ収集監視システム。
【請求項３】
前記データ収集監視システムに用いる測定装置は、測定データを内部メモリに保存する手段と、前記内部メモリに保存可能なデータ容量を通信手段を介して接続された上位コンピュータに伝達する手段と、前記内部メモリに現在保存されているデータ量を前記上位コンピュータに伝達する手段を備えたことを特徴とする請求項１に記載のデータ収集監視システム。
【請求項４】
前記データ収集監視システムは、予め登録された設定実施条件が成立した時点で前記上位コンピュータに予め登録された設定内容に従って設定動作が実施されるように構成されたことを特徴とする請求項１に記載のデータ収集監視システム。
【請求項５】
前記データ収集監視システムは、前記制御プログラムを搭載した上位コンピュータにより前記測定装置の負荷状況とコンピュータ自身の負荷状況を監視し、送受信を行うデータ量を測定装置と上位コンピュータが処理可能な量に調整しながらデータ通信を実施するように構成されたことを特徴とする請求項１に記載のデータ収集監視システム。
【発明の詳細な説明】
【０００１】
【発明の属する技術分野】
本発明は、測定装置に上位コンピュータを接続して構成されるデータ収集監視システムのデータ収集監視中の測定装置の設定変更機能の改善に関するものである。
【０００２】
【従来の技術】
従来のデータ収集監視システムに用いる測定装置は、入力信号を測定手段により測定し演算回路等で必要な演算処理等を実施してその測定データを記憶回路に格納する。
【０００３】
記憶回路に格納された測定データはパーソナルコンピュータ等の上位コンピュータに適宜読み出されてデータ解析が行われる。
【０００４】
また、前記上位コンピュータから測定装置に対して入力信号に関する警報設定値等の設定変更が可能である。
【０００５】
図２は従来のデータ収集監視システムの一例を示すブロック図である。同図において入力信号１００は測定回路１に入力され、測定回路１の出力は演算制御回路２に接続される。
【０００６】
演算制御回路２の出力は記憶回路３に接続され、記憶回路３の出力はデータ通信回路４に接続される。
【０００７】
上記に説明した機器は測定回路５０を構成する。
【０００８】
前記測定回路５０のデータ通信回路４には通信ケーブル等の通信手段５の一端が接続され前記通信手段５の他の一端には上位コンピュータ５１が接続される。
【０００９】
ここで図２に示す従来例の動作を説明する。入力信号１００は測定回路１において適宜増幅されＡ／Ｄ変換されてデジタル信号として取り込まれる。
【００１０】
演算制御回路２は測定回路１の出力であるデジタル信号に対して必要に応じて温度補償等の演算処理して測定データとして記憶回路３に格納する。
【００１１】
通信による測定データの読み出しに関しては、上位コンピュータ５１からのデータ出力要求信号等に基ずき演算制御回路２は記憶回路３に格納された測定データをデータ通信回路４に出力させ、データ通信回路４は測定データを通信ケーブル等の通信手段５上に送信する。
【００１２】
この結果、測定データは通信ケーブル等の通信手段５を介して上位コンピュータ５１で読み出されることになる。また、上位コンピュータ５１は、前記データ通信回路４と前記通信手段５を介して測定装置に警報設定値等の設定を行うことが可能である。
【００１３】
ここで、図３のフローチャートを用いて従来のデータ収集監視システムの０動作を説明する。
【００１４】
上位コンピュータ５１は予め登録された測定レンジや警報設定値等の設定情報を測定装置５０に送信し測定装置５０の設定を行う。（ＳＴ４１）
【００１５】
上位コンピュータ５１は測定装置５０に対してデータ出力要求信号を送信し測定装置５０に保存されている測定データを収集する。（ＳＴ４２）
【００１６】
上位コンピュータ５１はＳＴ４２で要求したデータの収集が完了するとデータ収集監視を終了する。（ＳＴ４３）
【００１７】
上位コンピュータ５１はデータ収集監視を続行するか否かを判断する。続行する場合（Ｙｅｓの場合）は次のステップＳＴ４５へ移行し、データ収集監視を終了する場合（Ｎｏの場合）は通信回線を開放し通信処理を終了する。（ＳＴ４４）
【００１８】
上位コンピュータ５１はＳＴ４１からＳＴ４３までと同じ条件でデータ収集監視を再度実施するか否かを判断する。同じ条件でデータ収集監視を再度実行する場合（Ｎｏの場合）はＳＴ４２へ移行しこれまでと違う条件で実施する場合（Ｙｅｓの場合）はＳＴ４１へ移行する。（ＳＴ４５）
【００１９】
以上の動作により測定装置５０のデータ収集監視を実現することが可能である。また、一部の測定装置ではＳＴ４６に示す割り込み処理を設け、手動操作によってデータ収集監視実施中に測定装置に対して設定変更を行うことが可能なものもある。
【００２０】
【発明が解決しようとする課題】
しかしながら従来の測定装置では、図３のフローチャートからも明らかなように上位コンピュータに備えた制御プログラムによって測定データの収集監視を実施している場合は測定装置５０の設定変更を実施することは不可能であり、これを行うためにはデータ収集監視を強制的に中断するか、または、ＳＴ４６に示したように手動操作によって設定変更を行う以外に方法がないという課題があった。
【００２１】
また、手動操作によって設定変更を行うことが可能な測定装置は一般的に普及しておらず、ごく一部のかぎられた機種においてのみ可能である上、測定装置から送信される測定データと上位コンピュータから送信される設定情報が通信回線上で衝突し上位コンピュータで得られた測定データに欠損が発生する場合がある。
【００２２】
更に、手動操作によって設定変更を実施する機能をそなえた測定装置は前記の測定データの欠損を防止するため手動設定が可能な設定項目を測定装置の動作に影響の少ないものに限定している。
【００２３】
本発明は、上記課題を解決するものでデータ収集監視を中断することなく上位コンピュータからの設定変更をデータ収集監視動作に影響を与えずに実施することが可能なデータ収集監視システムを提供することを目的とする。
【００２４】
【課題を解決するための手段】
このような目的を達成するために請求項１に記載の発明では、
測定装置に上位コンピュータを接続して構成されるデータ収集監視システムにおいて、
前記測定装置は、測定装置自身の負荷状況を前記上位コンピュータに伝達する手段を備え、
前記上位コンピュータは、前記測定装置から読み込んだ負荷状況から、前記測定装置に送信するデータ送信量を調整し、上位コンピュータから行う測定装置に対する設定変更をデータ収集監視動作実施中にデータ収集監視動作に影響を与えずに実施できるように構成されたことを特徴とするものである。
【００２５】
このような目的を達成するために請求項２に記載の発明では、前記データ収集監視システムに用いる上位コンピュータは、前記測定装置に設定する設定情報を予め登録し保存する手段と、前記設定情報の設定動作を開始する条件を予め登録し保存する手段と、前記測定装置の動作状況を把握する手段を備えた制御プログラムを搭載することを特徴とするものである。
【００２６】
このような目的を達成するために請求項３に記載の発明では、前記データ収集監視システムに用いる測定装置は、測定データを内部メモリに保存する手段と、前記内部メモリに保存可能なデータ容量を通信手段を介して接続された上位コンピュータに伝達する手段と、前記内部メモリに現在保存されているデータ量を前記上位コンピュータに伝達する手段を備えたことを特徴とするものである。
【００２７】
このような目的を達成するために請求項４に記載の発明では、前記上位コンピュータに予め登録された設定内容を予め登録された設定実施条件が成立した時点で実行できるように構成されたことを特徴とするものである。
【００２８】
このような目的を達成するために請求項５に記載の発明では、前記制御プログラムを搭載した上位コンピュータにより前記測定装置の負荷状況とコンピュータ自身の負荷状況から送受信を行うデータ量を測定装置と上位コンピュータが処理可能な量に調整できるように構成されたことを特徴とするものである。
【００２９】
請求項１に記載の発明では、上位コンピュータから行う測定装置に対する設定変更をデータ収集監視動作実施中にデータ収集監視動作に影響を与えずに実施することが可能となる。
【００３０】
請求項２に記載の発明では、前記データ収集監視システムに用いる上位コンピュータは前記測定装置に対する設定情報を保存することが可能となると共に前記測定装置の負荷状況を把握することが可能となる。
【００３１】
請求項３に記載の発明では、前記データ収集監視システムに用いる測定装置は測定装置自身の負荷状況を上位コンピュータへ伝達することが可能となる。
【００３２】
請求項４に記載の発明では、前記上位コンピュータから前記測定装置への設定変更を予め登録された設定内容で予め登録された実施条件が成立した時点で自動的に行うことが可能となる。
【００３３】
請求項５に記載の発明では、前記上位コンピュータと前記測定装置間の通信データ量をその時の負荷状況に応じて測定装置と上位コンピュータが処理可能な量に調整しながらデータ通信を行うことが可能となる。
【００３４】
【発明の実施の形態】
以下図面を用いて本発明を詳しく説明する。図１は本発明に係るデータ収集監視システムの動作を示すフローチャートである。なお、データ収集監視システムの構成は従来例で説明した図２と同様の構成のためここでの説明は省略する。
【００３５】
ここで、図１のフローチャートは本発明に係るデータ収集監視システムにおける上位コンピュータの動作を示すフローチャートである。以下に同図を用いて本発明に係るデータ収集監視システムの動作を説明する。
【００３６】
上位コンピュータ５１に測定装置５０に設定する測定レンジや警報設定値等の設定情報と、警報設定値変更時刻等の前記設定情報に基づいて測定装置５０に設定変更を実施する条件を定義する。（ＳＴ１１）
【００３７】
上位コンピュータ５１よりデータ収集監視を開始する。（ＳＴ１２）
【００３８】
上位コンピュータ５１は測定装置５０より内部メモリに保存可能なデータ容量や現在保存されているデータ量等の測定装置の負荷状況を読み込む。（ＳＴ１３）
【００３９】
上位コンピュータ５１はＳＴ１３で読み込んだ測定装置５０の負荷状況からデータ送受信量を現状の値から調整する必要があるか否か判断する。データ送受信量を調整する必要がない場合（Ｎｏの場合）はＳＴ１７へ移行し調整する必要がある場合（Ｙｅｓの場合）は次のステップへ移行する。（ＳＴ１４）
【００４０】
上位コンピュータ５１は測定装置５０にデータを送信する必要があるか否かを判断する。これはＳＴ１１で定義した設定を実施する条件が成立した場合等である。データ送信の必要がある場合（Ｙｅｓの場合）はＳＴ２０へ移行し必要がない場合（Ｎｏの場合）は次のステップへ移行する。（ＳＴ１５）
【００４１】
上位コンピュータ５１はＳＴ１３で読み込んだデータ測定装置５０の負荷状況からデータ受信量を決定する。（ＳＴ１６）
【００４２】
上位コンピュータ５１は測定装置５０に対してデータ出力要求信号を送信し測定装置５０に保存されている測定データを収集する。（ＳＴ１７）
【００４３】
上位コンピュータ５１はデータ収集監視を続行するか否かを判断する。続行する場合は（Ｙｅｓの場合）ＳＴ１３へ移行し、データ収集監視を終了する場合（Ｎｏの場合）は次のステップへ移行する。（ＳＴ１８）
【００４４】
上位コンピュータ５１は通信回線を開放し通信処理を終了する。（ＳＴ１９）
【００４５】
前記ＳＴ１５の判断の結果データ送信の必要がある場合（Ｙｅｓの場合）は、ＳＴ１３で読み込んだデータ測定装置の負荷状況と上位コンピュータ自身の負荷状況からデータ送信量を現状の値から調整する必要があるか否か判断する。データ送信量を調整する必要がない場合（Ｎｏの場合）はＳＴ２０へ移行し調整する必要がある場合（Ｙｅｓの場合）は次のステップへ移行する。（ＳＴ２０）
【００４６】
上位コンピュータ５１はＳＴ１３で読み込んだデータ測定装置５０の負荷状況からデータ送信量を決定する。（ＳＴ２１）
【００４７】
上位コンピュータ５１は測定装置５０に対して測定レンジや警報設定値等の設定情報を送信し測定装置５０の設定を行う。（ＳＴ２２）
【００４８】
上位コンピュータ５１は測定装置５０より内部メモリに保存可能なデータ容量や現在保存されているデータ量等の測定装置の負荷状況を読み込み、ＳＴ１６へ移行する。（ＳＴ２３）
【００４９】
以上の動作を繰り返すことにより、データ収集監視を中断することなく上位コンピュータから設定変更を実施することが可能なデータ収集監視システムを提供することが可能となる。
【００５０】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００５１】
【発明の効果】
以上説明したように本発明によれば次のような効果がある。
請求項１と請求項２と請求項３に記載の発明では、データ収集監視システムを負荷状況を上位コンピュータに伝達する手段を備えた測定装置と、前記測定装置から伝達される情報を読み込む手段と前記測定装置に送信する設定情報を登録する手段を備えた上位コンピュータによって構成したことにより、測定装置の負荷状況を上位コンピュータで把握することが可能となるためデータ収集に影響を与えないタイミングを選択し上位コンピュータからの設定動作を実施することが可能となる。従ってデータ収集監視を中断することなく上位コンピュータからの設定変更をデータ収集監視動作に影響を与えずに実施することが可能なデータ収集監視システムを提供することが可能となる。
【００５２】
請求項４に記載の発明では、予め登録された設定内容を予め登録された設定実施条件が成立した時点で設定変更を行うことが可能となる。従ってこの機能を用いることによりある条件が成立した場合に測定装置で実施している演算式の条件を変更することや、特定の期間のみ警報設定値を変更し警報の発生を抑止することが可能となる。これは恒温槽等の実験を行う場合等において一定温度までの昇温中のみ警報の発生を抑止する場合等に有効である。
【００５３】
請求項５に記載の発明では、前記測定装置の負荷状況と上位コンピュータ自身の負荷状況を監視し、送受信を行うデータ量を測定装置と上位コンピュータが処理可能な量に調整しながらデータ通信を実施するように構成されているため常に安定した状態で測定データの収集が可能となる。これにより測定装置が過負荷状態になった場合や上位コンピュータ側でデータ収集監視用の制御プログラム以外のプログラムが実行され一時的に上位コンピュータ側のデータ処理能力が低下した場合でも、測定データを確実に受信することが可能である。
【図面の簡単な説明】
【図１】本発明に係るデータ収集監視システムの動作を説明するフローチャートである。
【図２】従来のデータ収集監視システムの一例を示す構成図である。
【図３】従来のデータ収集監視システムの動作を説明するフローチャートである。
【符号の説明】
１  測定回路
２  演算制御回路
３  記憶回路
４  データ通信回路
５０  測定装置
５１  上位コンピュータ
【図１】
0003561903.tif 000002
【図２】
0003561903.tif 000003
【図３】
0003561903.tif 000004